【事件の表示】
　特許第３１２２９２３号「散布機のシャッタ開閉装置」の請求項１、２に係る特許に対する特許異議の申立てについて、次のとおり決定する。
【結　論】
　訂正を認める。
　特許第３１２２９２３号の請求項１に係る特許を維持する。
【理　由】
１．手続の経緯
　本件特許第３１２２９２３号の請求項１及び２に係る発明についての出願は、平成６年６月１３日に特許出願され、平成１２年１０月２７日にその発明について特許権の設定登録がなされ、その後、本件請求項１及び２に係る発明の特許に対し、平成１３年６月２９日に松山株式会社より特許異議の申立てがなされ、取消しの理由を通知したところ、平成１４年７月１０日に訂正請求（後に、取下げ）がなされ、さらに、取消しの理由を通知したところ、平成１４年１０月１日に訂正請求がなされたものである。
　
２．訂正請求について
２-1．訂正の内容
　特許権者が求めている訂正の内容は、次のとおりである（下線部分が訂正個所である）。
（１）特許明細書の特許請求の範囲の【請求項１】（本件特許公報１頁下段左欄２行）に記載された「ホッパとシャッタを有した底板と」を「ホッパとシャッタを有した底板と
、
（２）特許明細書の特許請求の範囲の【請求項１】（本件特許公報１頁下段左欄３行）に記載された「散布機をトラクターの一端部に連結する」を、「散布機をトラクタの
後部
（３）特許明細書の特許請求の範囲の【請求項１】（本件特許公報１頁下段左欄5〜１１行）に記載された「トラクターのオペレータがこの調整ケースへシャッタの開閉量を遠隔制御するものにおいて、この調整ケースには電動モータ駆動歯車の移動量、あるいはこの駆動軸の伝導部材の移動量をセンサーによって感知測定することによりシャッタの開閉量を任意に制御する手段を具備したことを特徴とした散布機のシャッタ開閉装置。」を、
　「トラクタのオペレータがこの調整ケースへシャッタの開閉量を遠隔制御するものにおいて、
シャッタは部分的に開口部を設けられた板状体からなり、底板の中心に取り付けられたミッションに連結されたセンタ軸を回転中心としてシャッタを回転させ、底板の開口部とシャッタ側の開口部を一致させることでホッパ底面に開状態を取らせ、両開口部の位置をずらせて底板側の開口部をふさぐことにより閉状態を取らせ、開状態と閉状態との間の状態を選択することにより、ホッパの底板の開口量を任意に選択するとともに、シャッタの周縁部に取り付けられる連結棒を介して、前記調整ケースによってシャッタを回転させ、かつ
、近接スイッチでパルス信号出力する
電気的制御
するとともに、電気的制御手段は、操作基板とパワ基板とを有し、操作基板は、主電源、開度目盛を有するデップスイッチ、開度比較ＩＣ、デジタル表示器、カウンタＩＣ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与えることを
する
（４）特許請求の範囲の【請求項２】の記載を削除する。
（５）特許明細書の段落番号【０００１】（同公報１頁下段右欄２行）に記載された「本発明は」を「本発明は
、
（６）特許明細書の段落番号【０００２】（同公報１頁下段右欄７〜１０行）に記載された「シャッタ開閉装置として特公平４−４０９６５号が知られる。又、実開昭６４−４９０１４号公報には肥料散布機のシャッタ開度調節をダイヤルで遠隔制御する技術が知られる。」を、「シャッタ開閉装置としては
、
。
（７）特許明細書の段落番号【０００３】（同公報１頁下段右欄１２〜１３行）に記載された「前記した公知技術前者は、」を、「前記した公知技術は、」と訂正する。
（８）特許明細書の段落番号【０００３】（同公報２頁左欄５〜１５行）に記載された「又、前記した公知技術の後者は、「取付プレート１３下部にサーボモーター１５が固設され、該サーボモーター１５の駆動軸１５ａにアーム１６嵌挿されている。該駆動軸１５ａには回動角を検出するセンサー２９が設けられている。該アーム１６先端にはピン１６ａが突出され、他方、前記シャッター７の一端に長孔７ｂが開口され、該長孔７ｂにピン１６ａが挿入され、アーム１６の回動によりシャッター７を左右に摺動され」との構成であるから水田や畑作地での不整地での作業時には、振動やトラクターの衝撃力によってセンサー部が振れて精度が乱れたり、損耗が大きかったりする問題がある。」を削除する。
（９）特許明細書の段落番号【０００４】（同公報２頁左欄１７〜２９行）に記載された「前記した課題を解決するために、ホッパとシャッタを有した底板とフレームで支持した散布機をトラクターの一端部に連結するとともに、前記フレームの側部に前記シャッタを作動させる調整ケースを設置し、トラクターのオペレータがこの調整ケースへシャッタの開閉量を遠隔制御するものにおいて、この調整ケースには電動モータ駆動歯車の移動量、あるいはこの駆動軸の伝導部材の移動量をセンサーによって感知測定することによりシャッタの開閉量を任意に制御する手段を具備したことを特徴とした散布機のシャッタ開閉装置である。又、特にセンサーが近接スイッチで移動量をパルス信号出力する散布機のシャッタ開閉装置を提供したものである。」を、「前記した課題を解決するため、ホッパとシャッタを有した底板と
、
後部
シャッタは部分的に開口部を設けられた板状体からなり、底板の中心に取り付けられたミッションに連結されたセンタ軸を回転中心としてシャッタを回転させ、底板の開口部とシャッタ側の開口部を一致させることでホッパ底面に開状態を取らせ、両開口部の位置をずらせて底板側の開口部をふさぐことにより閉状態を取らせ、開状態と閉状態との間の状態を選択することにより、ホッパの底板の開口量を任意に選択するとともに、シャッタの周縁部に取り付けられる連結棒を介して、前記調整ケースによってシャッタを回転させ、かつ
、近接スイッチでパルス信号出力する
電気的制御
するとともに、電気的制御手段は、操作基板とパワ基板とを有し、操作基板は、主電源、開度目盛を有するデップスイッチ、開度比較ＩＣ、デジタル表示器、カウンタＩＣ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与え
する
案す
（10）特許明細書の段落番号【０００５】（同公報２頁左欄３１〜３５行）に記載された「電動モータの駆動歯車の移動量、あるいはこの駆動軸の伝導部材の移動量をセンサーによって感知測定することによりシャッタの開閉量を任意に制御する手段を具備した調整ケースを散布機のフレーム側部に設置したので、」を削除する。
（11）特許明細書の段落番号【０００６】（同公報２頁左欄４５〜４６行）に記載された「主電源動作フローチャートで、」を「主電源動作フローチャート、」と訂正する。
（12）特許明細書の段落番号【０００８】（同公報２頁右欄９〜１１行）に記載された「放射状に４ページ（３）個設置する。」を「放射状に４個設置する。」と訂正する。
（13）特許明細書の段落番号【０００８】（同公報２頁右欄１２行）に記載された「シャッタ１１は」を「シャッタ１１は
、
（14）特許明細書の段落番号【０００８】（同公報２頁右欄１４〜１５行）に記載された「底板の開口部２９と」を「底板
１０
、
（15）特許明細書の段落番号【０００８】（同公報２頁右欄１８〜１９行）に記載された「状態を選択することにより」を「状態を選択することにより
、
（16）特許明細書の段落番号【０００９】（同公報２頁右欄２４〜２６行）に記載された「調整ケース１内に装備されている。スライドプレート２１の外側面に突設される。」を「調整ケース１内に装備され
、
てい
（17）特許明細書の段落番号【０００９】（同公報２頁右欄３０行）に記載された「キャビン内９」を「キャビン
９内
（18）特許明細書の段落番号【００１０】（同公報２頁右欄３２行）に記載された「図３は特に、」を「図３は
、
（19）特許明細書の段落番号【００１０】（同公報２頁右欄３７行）に記載された「電動モータ１８の駆動歯車１９は」を「電動モータ１８の駆動歯車１９は
、
（20）特許明細書の段落番号【００１０】（同公報２頁右欄３８〜３９行）に記載された「内側面に設けたラックと」を「内側面に設けたラック
２０
（21）特許明細書の段落番号【００１０】（同公報２頁右欄３９〜４０行）に記載された「スライドプレート２１は平行状に移動する。」を「スライドプレート２１
に
（22）特許明細書の段落番号【００１０】（同公報２頁右欄４１〜４２行）に記載された「シャッタ１１を回動させる。」を「シャッタ１１を回
転
（23）特許明細書の段落番号【００１０】（同公報２頁右欄４３行）に記載された「適宜な伝導部材で」を「適宜
の
（24）特許明細書の段落番号【００１１】（同公報２頁右欄４４行）に記載された「操作基板は」を「操作基板は
、
（25）特許明細書の段落番号【００１１】（同公報２頁右欄４５〜４７行）に記載された「開度比ページ（４）較ＩＣ、」を「開度比較ＩＣ、」と訂正する。
（26）特許明細書の段落番号【００１１】（同公報２頁右欄４９行）に記載された「正・逆転指示をする」を「正・逆転
を
（27）特許明細書の段落番号【００１１】（同公報３頁左欄４〜５行）に記載された　「デップスイッチの目盛で」を「デップスイッチ
１６
（28）特許明細書の段落番号【００１１】（同公報３頁左欄６〜７行）に記載された「シャッタ開度位置Ｂと」を「シャッタ開度位置Ｂと
の
（29）特許明細書の段落番号【００１１】（同公報３頁左欄１４行）に記載された「センサ１７は」を「センサ１７は
、
（30）特許明細書の段落番号【００１２】（同公報３頁左欄１８〜１９行）に記載された「シャッター位置目盛」を「シャッター位置
の
（31）特許明細書の段落番号【００１２】（同公報３頁左欄２０行）に記載された「ゼロかどうかの判定をして、」を「ゼロかどうか判定をして、」と訂正する。
（32）特許明細書の段落番号【００１２】（同公報３頁左欄２１行）に記載された「Ｂの最大置」を「Ｂの最大
値
（33）特許明細書の段落番号【００１３】（同公報３頁左欄２９行）に記載された「Ａ＜Ｂの場合は」を「Ａ＜Ｂの場合は
、
（34）特許明細書の段落番号【００１３】（同公報３頁左欄３０行）に記載された「モータ閉作動をする。」を「モータ閉
動作
（35）特許明細書の段落番号【００１３】（同公報３頁左欄３２〜３４行）に記載された「カウントＵＰ表べージ（５）示の後、」を「カウントＵＰ表示の後、」と訂正する。
（36）特許明細書の段落番号【００１３】（同公報３頁左欄３４〜３５行）に記載された「開度目盛のＡが」を「開度目盛のＡが
、
（37）特許明細書の段落番号【００１３】（同公報３頁左欄３６行）に記載された「カウントＵＰし、」を「カウントＵＰし
て
（38）特許明細書の段落番号【００１３】（同公報３頁左欄３８行）に記載された「【発明の効果】」を「【００１４】【発明の効果】」と訂正する。
（39）特許明細書の【符号の説明】（同公報３頁右欄２２〜２４行）に記載された「１２　ブラケット　ページ（６）　１３　連結棒」を、「１２　ブラケット　１３　連結棒」と訂正する。
２-2．訂正の適否
　上記（３）の訂正は「シャッタ」及び「電気的制御手段」の構成を具体的に限定するものであり、また、上記（４）の訂正は請求項２を削除するものであるから、（３）及び（４）の訂正は特許請求の範囲の減縮を目的とするものである。
　上記（９）の訂正は、発明の詳細な説明の記載を訂正後の特許請求の範囲の記載と整合させるためのものであるから、明りょうでない記載の釈明を目的とするものに該当する。
　また、上記（１）、（２）、（５）、（６）、（８）〜（16）、（18）〜（31）及び（33）〜（39）の訂正は、読点や符号を付したり、発明の詳細な説明の記載を訂正後の特許請求の範囲の記載と整合させるものであるから、明りょうでない記載の釈明を目的とするものであり、更に、上記（７）、（17）及び（32）の訂正は、誤記の訂正を目的とするものである。
　そして、（３）の訂正における構成は、特許明細書の段落番号【０００８】ないし【００１１】に記載されているので、上記（１）ないし（39）の訂正は、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３-1．異議申立て理由の概要
　本件請求項１及び２に係る発明は、下記の甲第１及び２号証に記載された発明に基づいて当業者が容易に発明をすることができたものであり、特許法第２９条第２項の規定により特許を受けることができないものであり、あるいは、本件請求項１及び２に係る発明は、特許法第１７条の２第３項で規定する要件を満たしていない補正をした特許出願に対してされたものであるから、本件請求項１及び２に係る発明の特許は取り消されるべきである。
　　　　　　　　　　　　　　　　　記
　甲第１号証：実願昭６３−６５０６０号（実開平１−１６８１２３号）のマイクロフイルム
　甲第２号証：実願平２−１９８８号（実開平３−９２９１８号）のマイクロフイルム
　
３-2．本件特許発明
　上記２．で示したように上記訂正が認められるから、本件の請求項１に係る発明（以下、「本件発明」という）は、訂正後の特許明細書の特許請求の範囲の請求項１に記載したとおりの、
　「ホッパとシャッタを有した底板と、フレームで支持した散布機をトラクタの後部に連結するとともに、前記底板側面に前記シャッタを作動させる調整ケースを設置し、トラクタのオペレータがこの調整ケースへシャッタの開閉量を遠隔制御するものにおいて、シャッタは部分的に開口部を設けられた板状体からなり、底板の中心に取り付けられたミッションに連結されたセンタ軸を回転中心としてシャッタを回転させ、底板の開口部とシャッタ側の開口部を一致させることでホッパ底面に開状態を取らせ、両開口部の位置をずらせて底板側の開口部をふさぐことにより閉状態を取らせ、開状態と閉状態との間の状態を選択することにより、ホッパの底板の開口量を任意に選択するとともに、シャッタの周縁部に取り付けられる連結棒を介して、前記調整ケースによってシャッタを回転させ、かつこの調整ケースには電動モータ駆動歯車の移動量、あるいはこの駆動軸の伝達部材の移動量を、近接スイッチでパルス信号出力するセンサによって感知測定することによりシャッタの開閉量を任意に制御する電気的制御手段を具備するとともに、電気的制御手段は、操作基板とパワ基板とを有し、操作基板は、主電源、開度目盛を有するデップスイッチ、開度比較ＩＣ、デジタル表示器、カウンタＩＣ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与えることを特徴とする散布機のシャッタ開閉装置。」である。
　
３-3．特許法第２９条第２項違反について
３-3-1．甲号証記載の発明
（ａ）甲第１号証（実願昭６３−６５０６０号（実開平１−１６８１２３号）のマイクロフイルム）には、
（ａ-1）「図示のように、トラクターの前部又は後部に取付けるホッパー１は、下部すぼまりの横長に形成され、上部開口が蓋２によって開閉自在となり、底壁３には複数の散布口４が長手方向に一定の間隔で設けられている。
　上記ホッパー１における底壁３の下面に、この下面に密着する断面形状を有し、ホッパー１の下面長手方向に摺動自在となるシャッター５が取付けられ、シャッター５には、長手方向に散布口４と等しい間隔で複数の散布調節口６が設けられている。」（４頁８〜１８行）、
（ａ-2）「前記ホッパー１の外側下部の位置に、シャッター５の開閉駆動機構１２と、この駆動機構１２を制御してシャッター５の進退動ストロークを調整する回転数検出機構１３とが配置され、肥料の散布と停止及び散布量の調整とが電気的に制御できるようになっている。
　上記駆動機構１２は、ホッパー１をトラクターに取付ける取付枠１４のプレート１５にモータ１６をその出力軸に連結した螺軸１７がシャッター５の長手移動方向に平行するように固定し、螺軸１７に螺合したナット部材１８とシャッター５を連結部材１９で連結し、モータ１６での螺軸１７の正逆回転によるナット部材１８の送り作用でシャッター５を開閉方向に進退動させるようになっている。
　また、回転数検出機構１３は、第２図と第３図のように、螺軸１７の端部に固定したパルスプレート２１と、このパルスプレート２１の外周に臨むようプレート１５に取付けた一対のパルス発生センサー２２とで構成され、螺軸１７と共に回転するパルスプレート２１の外周に設けた切欠２３を上記センサー２２が検出することによってパルスを発生し、制御回路によって螺軸１７の回転数を検出するようになっている。」（５頁１０行〜６頁１３行）、
（ａ-3）「なお、シャッター５の開閉のため、モータ１６の正逆を始動させるためのスイッチボックス等は、図示省略したが、トラクターの適当な位置に磁石などを用いて取付けるようになっている。」（７頁３〜６行）、
（ａ-4）「上記シャッター５の開放位置への移動時において、予め螺軸１７の回転数を設定しておくことにより、散布口４の開度が設定条件に一致した時点でモータ１６は停止し、所望する散布量が得られることになる。」（８頁２〜６行）、
と記載されている。
（ｂ）甲第２号証（実願平２−１９８８号（実開平３−９２９１８号）のマイクロフイルム）には、シャッター駆動モーター２のセンサー軸１２の移動量をシャッター開度センサー３によって感知測定することによりシャッタの開度量を任意に制御する手段を具備した調節ケースを備えている散布機のシャッタ開度調節装置が記載されていると認められる。
３-3-2．対比・判断
　本件発明と甲第１又は２号証に記載された発明とを対比すると、
　甲第１又は２号証に記載された発明は、本件発明の構成要件である「調整ケースには電動モータ駆動歯車の移動量、あるいはこの駆動軸の伝達部材の移動量を、近接スイッチでパルス信号出力するセンサによって感知測定することによりシャッタの開閉量を任意に制御する電気的制御手段を具備するとともに、電気的制御手段は、操作基板とパワ基板とを有し、操作基板は、主電源、開度目盛を有するデップスイッチ、開度比較ＩＣ、デジタル表示器、カウンタ１Ｃ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与える」構成を備えていない。
　そして、本件発明の前記構成は周知慣用技術とはいえず、本件発明は、特許明細書に記載された効果を奏するものと認められる。
　したがって、本件発明が、甲第１及び２号証に記載された発明に基づいて当業者が容易に発明をすることができたものとすることはできない。
３-4．特許法第１７条の２第３項違反について
　異議申立人が、願書に最初に添付した明細書又は図面に記載されていないと指摘する、特許明細書の記載箇所は、上記訂正により願書に最初に添付した明細書又は図面に記載した事項の範囲内のものに訂正された。
　
３-5．むすび　
　以上のとおりであるから、特許異議の申立ての理由及び証拠方法によっては、本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１月１６日（２００３．１．１６）
【訂正の要旨】
訂正事項
（Ａ）　明細書の特許請求の範囲の減縮
ａ．特許第３１２２９２３号発明の明細書中、特許請求の範囲の請求項１及び請求項２を以下の通り減縮する。
　［請求項１］　ホッパとシャッタを有した底板と、フレームで支持した散布機をトラクタの後部に連結するとともに、前記底板側面に前記シャッタを作動させる調整ケースを設置し、トラクタのオペレータがこの調整ケースへシャッタの開閉量を遠隔制御するものにおいて、シャッタは部分的に開口部を設けられた板状体からなり、底板の中心に取り付けられたミッションに連結されたセンタ軸を回転中心としてシャッタを回転させ、底板の開口部とシャッタ側の開口部を一致させることでホッパ底面に開状態を取らせ、両開口部の位置をずらせて底板側の開口部をふさぐことにより閉状態を取らせ、開状態と閉状態との間の状態を選択することにより、ホッパの底板の開口量を任意に選択するとともに、シャッタの周縁部に取り付けられる連結棒を介して、前記調整ケースによってシャッタを回転させ、かつこの調整ケースには電動モータ駆動歯車の移動量、あるいはこの駆動軸の伝達部材の移動量を、近接スイッチでパルス信号出力するセンサによって感知測定することによりシャッタの開閉量を任意に制御する電気的制御手段を具備するとともに、電気的制御手段は、操作基板とパワ基板とを有し、操作基板は、主電源、開度目盛を有するデップスイッチ、開度比較ＩＣ、デジタル表示器、カウンタＩＣ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与えることを特徴する散布機のシャッタ開閉装置。」
（Ｂ）　明細書の発明の詳細な説明の欄の誤記の訂正
ｂ．当該特許公報中、段落番号［０００１］記載の「本発明は」を「本発明は、」と訂正する。
ｃ．当該特許公報中、段落番号［０００２］記載の「シャッタ開閉装置として特公平４−４０９６５号が知られる。又、実開昭６４−４９０１４号公報には肥料散布機のシャッタ開度調節をダイヤルで遠隔制御する技術が」を、「シャッタ開閉装置としては、特公平４−４０９６５号が」と訂正する。
ｄ．当該特許公報中、段落番号［０００３］について、
「前記した公知技術前者は、ホッパの底面に沿うシャッタに仲介部材を介して開閉レバーを連結し、この開閉レバーにモータによって駆動される伝導部材を連結するとともに、開閉レバーの回動幅の両端にリミットスイッチを設けて、モータの運転のＯＮ、ＯＦＦを遠隔操作するものである。この場合、操作手元からは単にモータの開か、閉かの指示のみで、任意の開度量を指示することはできないという問題がある。又、前記した公知技術の後者は、「取付プレート１３下部にサーボモーター１５が固設され、該サーボモーター１５の駆動軸１５ａにアーム１６嵌挿されている。該駆動軸１５ａには回動角を検出するセンサー２９が設けられている。該アーム１６先端にはピン１６ａが突出され、他方、前記シャッター７の一端に長孔７ｂが開口され、該長孔７ｂにピン１６ａが挿入され、アーム１６の回動によりシャッター７を左右に摺動され」との構成であるから水田や畑作地での不整地での作業時には、振動やトラクターの衝撃力によってセンサー部が振れて精度が乱れたり、損耗が大きかったりする問題がある。」とある記載を、
「前記した公知技術は、ホッパの底面に沿うシャッタに仲介部材を介して開閉レバーを連結し、この開閉レバーにモータによって駆動される伝導部材を連結するとともに、開閉レバーの回動幅の両端にリミットスイッチを設けて、モータの運転のＯＮ、ＯＦＦを遠隔操作するものである。この場合、操作手元からは単にモータの開か、閉かの指示のみで、任意の開度量を指示することはできないという問題がある。」と訂正する。
ｅ．当該特許公報中、段落番号［０００６］記載の「主電源動作フローチャートで」を「主電源動作フローチャート」と訂正する。
ｆ．当該特許公報中、段落番号［０００８］記載の「放射状に４ページ（３）個」を「放射状に４個」と、「シャッタ１１は」を「シャッタ１１は、」と、「底板の」を「底板１０の」と、「開口部２９と」を「開口部２９と、」と、「選択することにより」を「選択することにより、」と、それぞれ訂正する。
ｇ．当該特許公報中、段落番号［０００９］記載の「調整ケース１内に装備される。スライドプレート２１の外側面に突設される。」を「調整ケース１内に装備され、スライドプレート２１の外側面に突設されている。」と訂正する。また、「キャビン内９」との記載を「キャビン９内」と訂正する。
ｈ．当該特許公報中、段落番号［００１０］記載の「図３は特に、」を「図３は、特に」と、「駆動歯車１９は」を「駆動歯車１９は、」と、「ラック」を「ラック２０」と、「スライドプレート２１は」を「スライドプレート２１に」と、「回動」を「回転」と、「適宜な」を「適宜の」と、それぞれ訂正する。
ｉ．当該特許公報中、段落番号［００１１］記載の「操作基板は」を「操作基板は、」と、「開度比ページ（４）較ＩＣ」を「開度比較ＩＣ」と、「正・逆転指示をする」を「正・逆転を指示する」と、「デップスイッチ」を「デップスイッチ１６」と、「Ｂと」を「Ｂとの」と、「センサ１７は」を「センサ１７は、」と、それぞれ訂正する。
ｊ．当該特許公報中、段落番号［００１２］記載の「シャッター位置目盛」を「シャッター位置の目盛」と、「ゼロかどうかの」を「ゼロかどうか」と、「最大置」を「最大値」と、それぞれ訂正する。
ｋ．当該特許公報中、段落番号［００１３］記載の「場合は」を「場合は、」と、「モータ閉作動」を「モータ閉動作」と、「カウントＵＰ表ページ（５）示」を「カウントＵＰ表示」と、「Ａが」を「Ａが、」と、「ＵＰし」を「ＵＰして」と、それぞれ訂正する。
ｌ．当該特許公報中、段落番号［００１３］中の「［発明の効果］」を
　「［００１４］
　［発明の効果］」と訂正する。
ｍ．当該特許公報中、［符号の説明］中の「１２　ブラケット　ページ（６）　１３　連結棒」を、「１２　ブラケット　　１３　連結棒」と、訂正する。
（Ｃ）　明細書の発明の詳細な説明の欄の明瞭でない記載の釈明目的の訂正
ｎ．当該特許公報中、段落番号［０００４］について、
「　　　［０００４］
　［課題を解決するための手段］
　前記した課題を解決するため、ホッパとシャッタを有した底板とフレームで支持した散布機をトラクタの一端部に連結するとともに、前記フレームの側部に前記シャッタを作動させる調整ケースを設置し、トラクタのオペレータがこの調整ケースへシャッタの開閉量を遠隔制御するものにおいて、この調整ケースには電動モータ駆動歯車の移動量、あるいはこの駆動軸の伝達部材の移動量をセンサによって感知測定することによりシャッタの開閉量を任意に制御する手段を具備したことを特徴とする散布機のシャッタ開閉装置である。又、特に、センサが近接スイッチで駆動歯車の移動量をパルス信号出力とすることを特徴とした請求項１記載の肥料等散布機のシャッタ開閉装置を提供したものである。」とある記載を、
「　　　［０００４］
　［課題を解決するための手段］
　前記した課題を解決するため、ホッパとシャッタを有した底板と、フレームで支持した散布機をトラクタの後部に連結するとともに、前記底板側面に前記シャッタを作動させる調整ケースを設置し、トラクタのオペレータがこの調整ケースへシャッタの開閉量を遠隔制御するものにおいて、シャッタは部分的に開口部を設けられた板状体からなり、底板の中心に取り付けられたミッションに連結されたセンタ軸を回転中心としてシャッタを回転させ、底板の開口部とシャッタ側の開口部を一致させることでホッパ底面に開状態を取らせ、両開口部の位置をずらせて底板側の開口部をふさぐことにより閉状態を取らせ、開状態と閉状態との間の状態を選択することにより、ホッパの底板の開口量を任意に選択するとともに、シャッタの周縁部に取り付けられる連結棒を介して、前記調整ケースによってシャッタを回転させ、かつこの調整ケースには電動モータ駆動歯車の移動量、あるいはこの駆動軸の伝達部材の移動量を、近接スイッチでパルス信号出力するセンサによって感知測定することによりシャッタの開閉量を任意に制御する電気的制御手段を具備するとともに、電気的制御手段は、操作基板とパワ基板とを有し、操作基板は、主電源、開度目盛を有するデップスイッチ、開度比較ＩＣ、デジタル表示器、カウンタＩＣ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与えることを特徴とする散布機のシャッタ開閉装置を提案する。」と訂正する。
ｏ．当該特許公報中、段落番号［０００５］について、
「　　　［０００５］
　［作用］
　電動モータの駆動歯車の移動量、あるいはこの駆動軸の伝導部材の移動量をセンサーによって感知測定することによりシャッタの開閉量を任意に制御する手段を具備した調整ケースを散布機のフレーム側部に設置したので、電動モータの駆動歯車の歯の移動量と肥料散布機のシャッタ開度目盛りが電気的に整合されているから、オペレータは運転席の脇に設置したコントロールボックスのダイヤルを指示すると、運転モータはシャッタの所定目盛量だけ回転する。特に近接スイッチが電動モータの駆動歯車の歯数をパルス信号出力するのでシャッタ開閉量を正確に制御する。」とある記載を、
「　　　［０００５］
　［作用］
　電動モータの駆動歯車の歯の移動量と肥料散布機のシャッタ開度目盛りが電気的に整合されているから、オペレータは運転席の脇に設置したコントロールボックスのダイヤルを指示すると、運転モータはシャッタの所定目盛量だけ回転する。特に近接スイッチが電動モータの駆動歯車の歯数をパルス信号出力するのでシャッタ開閉量を正確に制御する。」と訂正する。
（５４）【発明の名称】
散布機のシャッタ開閉装置
（５７）【特許請求の範囲】
　【請求項１】　
ホッパとシャッタを有した底板と、フレームで支持した散布機をトラクタの後部に連結するとともに、前記底板側面に前記シャッタを作動させる調整ケースを設置し、トラクタのオペレータがこの調整ケースへシャッタの開閉量を遠隔制御するものにおいて、シャッタは部分的に開口部を設けられた板状体からなり、底板の中心に取り付けられたミッションに連結されたセンタ軸を回転中心としてシャッタを回転させ、底板の開口部とシャッタ側の開口部を一致させることでホッパ底面に開状態を取らせ、両開口部の位置をずらせて底板側の開口部をふさぐことにより閉状態を取らせ、開状態と閉状態との間の状態を選択することにより、ホッパの底板の開口量を任意に選択するとともに、シャッタの周縁部に取り付けられる連結棒を介して、前記調整ケースによってシャッタを回転させ、かつこの調整ケースには電動モータ駆動歯車の移動量、あるいはこの駆動軸の伝達部材の移動量を、近接スイッチでパルス信号出力するセンサによって感知測定することによりシャッタの開閉量を任意に制御する電気的制御手段を具備するとともに、電気的制御手段は、操作基板とパワ基板とを有し、操作基板は、主電源、開度目盛を有するデップスイッチ、開度比較ＩＣ、デジタル表示器、カウンタＩＣ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与えることを特徴とする散布機のシャッタ開閉装置。
【発明の詳細な説明】
　【０００１】
　【産業上の利用分野】
　
本発明は、
　【０００２】
　【従来の技術】
　電動モータの正逆転を利用した農用散布機のシャッタ開閉装置として
は、
。
　【０００３】
　【発明が解決しようとする課題】
　前記した
公知技術は
。
　【０００４】
　【課題を解決するための手段】
　前記した課題を解決するため
、ホッパとシャッタを有した底板と、フレームで支持した散布機をトラクタの後部に連結するとともに、前記底板側面に前記シャッタを作動させる調整ケースを設置し、トラクタのオペレータがこの調整ケースへシャッタの開閉量を遠隔制御するものにおいて、シャッタは部分的に開口部を設けられた板状体からなり、底板の中心に取り付けられたミッションに連結されたセンタ軸を回転中心としてシャッタを回転させ、底板の開口部とシャッタ側の開口部を一致させることでホッパ底面に開状態を取らせ、両開口部の位置をずらせて底板側の開口部をふさぐことにより閉状態を取らせ、開状態と閉状態との間の状態を選択することにより、ホッパの底板の開口量を任意に選択するとともに、シャッタの周縁部に取り付けられる連結棒を介して、前記調整ケースによってシャッタを回転させ、かつこの調整ケースには電動モータ駆動歯車の移動量、あるいはこの駆動軸の伝達部材の移動量を、近接スイッチでパルス信号出力するセンサによって感知測定することによりシャッタの開閉量を任意に制御する電気的制御手段を具備するとともに；　電気的制御手段は、操作基板とパワ基板とを有し、操作基板は、主電源、開度目盛を有するデップスイッチ、開度比較ＩＣ、デジタル表示器、カウンタＩＣ及びパルス入力・出力ＩＣを具備し、パワ基板は電動モータの正・逆転を指示する閉側リレー及び開側リレーを具備し、かつスライドプレートの閉側で接触指示され、シャッタ開度ゼロを示す原点出しＩＣと連動するリミットスイッチを有するとともに、電動モータの駆動歯車の移動量とシャッタ開度量とを整合させ、デップスイッチで所望の開度目盛に設定すると、開度比較ＩＣで現在シャッタ開度位置との開度差を読んで電動モータに回転指示を与えることを特徴とする散布機のシャッタ開閉装置を提案する。
　【０００５】
　【作用】
　
電動モータの駆動歯車の歯の移動量と肥料散布機のシャッタ開度目盛りが電気的に整合されているから、オペレータは運転席の脇に設置したコントロールボックスのダイヤルを指示すると、運転モータはシャッタの所定目盛量だけ回転する。特に近接スイッチが電動モータの駆動歯車の歯数をパルス信号出力するのでシャッタ開閉量を正確に制御する。
　【０００６】
　【実施例】
　本発明を実施した図面に基づいて構成を説明する。図１は本発明を実施した全体側面図、図２は要部の説明斜視図、図３は操作回路図、図４は
主電源動作フローチャート
　【０００７】
　７はトラクタの後部を示したもので、９のキャビンが設置されている。２８は散布機であり、この実施例では粒・粉状の肥料を散布する肥料散布機からなる。８は三点リンクで、トラクタ後部７と散布機２８とをフレーム４を介して連結する。５はホッパでありフレーム４によって支持される。ホッパ５には被散布物、例えば、粒状や粉状の肥料を搭載する。３はミッションであり、ホッパ５の下部に設置される。２は散布筒であり、ホッパ５の下部に設置される。散布筒２は、ミッション３の作動により揺動作動され、肥料を散布する。
　【０００８】
　１０は底板であり、ホッパ５の底面を構成し、扇型の開口部２９を放射状に
４個
シャッタ１１は、
底板１０の開口部２９と、
選択することにより、
　【０００９】
　１は調整ケースである。調整ケース１はほぼ直方体をなし、フレーム４の内側で、且つホッパ５底面の底板１０側面に設置される。１２はブラケットで
調整ケース１内に装備され、スライドプレート２１の外側面に突設されている。
キャビン９内
　【００１０】
　
図３は、特に
駆動歯車１９は、
ラック２０
スライドプレート２１に
回転
適宜の
　【００１１】
　
２３の操作基板は、
開度比較ＩＣ
正・逆転を指示する
デップスイッチ１６
Ｂとの
センサ１７は、
　【００１２】
　図４において、主電源動作フローチャートの説明をする。Ａはデップスイッチ１６で設定指示した所望目盛の位置を示したもので、Ｂは現在の
シャッタ位置の目盛
　主電源をＯＮすると先ずシャッタ目盛Ｂが閉の
ゼロかどうか
最大値
　【００１３】
　次に図５によって、シャッタ開度調整フローチャートを説明する。ここで所望する開度目盛Ａを設定する。ＡとＢとを比較して、Ａ＜Ｂの
場合は、
閉動作
カウントＵＰ表示
　所望する開度目盛の
Ａが、
ＵＰして
　
【００１４】
　
【発明の効果】
　以上のように構成したので、トラクタ等の運転席から散布機のシャッタ開度量を任意に正確に遠隔操作可能になった。従って作業中、トラクタからわざわざ降りることもなく、あるいはキャビン装備車ではキャビン内部から正確な散布操作ができて、散布作業が快適になったものである。
【図面の簡単な説明】
　【図１】　本発明を実施した全体側面図
　【図２】　要部の説明斜視図
　【図３】　操作回路図
　【図４】　主電源動作フローチャート
　【図５】　開度調整操作フローチャート
　【符号の説明】
　　１　調整ケース
　　２　散布筒
　　３　ミッション
　　４　フレーム
　　５　ホッパ
　　６　制御ボックス
　　７　トラクタ後部
　　８　三点リンク
　　９　キャビン
　１０　底板
　１１　シャッタ
　
１２　ブラケット
　
１３　連結棒
　１４　主電源
　１５　デジタル表示器
　１６　デップスイッチ
　１７　センサー
　１８　モータ
　１９　駆動歯車
　２０　ラック
　２１　スライドプレート
　２２　リミットスイッチ
　２３　操作基板
　２４　パワ基板
　２５　閉側リレー
　２６　開側リレー
　２７　モータ電源
　２８　散布機
　２９　開口部